(57)【特許請求の範囲】
【請求項１】
番組表に含まれる複数の番組枠のうちで、クライアントの広告キャンペーンと対応するコマーシャルを放送する放送枠を判別するための判別情報を前記番組表において前記放送枠と対応づけて表示させる表示情報を出力する出力部と、
前記番組表に含まれる前記複数の番組枠の各番組枠に対して第１の予測アルゴリズムにより予測された第１の予測視聴率と、前記第１の予測アルゴリズムよりも予測精度の高い第２の予測アルゴリズムにより予測された第２の予測視聴率とを比較する比較部と、を含み、
前記出力部は、前記第１の予測視聴率よりも前記第２の予測視聴率で視聴率が所定の上昇条件を満たして上昇している第１の番組枠を、前記番組表において他の番組枠とは異なる表示形式で表示させるように前記表示情報を出力する、情報処理装置。
【請求項２】
前記出力部は、前記放送枠のうちで、前記第１の予測視聴率よりも前記第２の予測視聴率で視聴率が所定の低下条件を満たして低下している放送枠の前記判別情報を、他の放送枠の判別情報とは異なる表示形式で表示させるように前記表示情報を出力する、請求項１に記載の情報処理装置。
【請求項３】
前記出力部は、前記第１の番組枠の表示形式を、前記第１の予測視聴率と前記第２の予測視聴率との間の視聴率の差の大きさに応じて異ならせるように前記表示情報を出力する、請求項１または請求項２に記載の情報処理装置。
【請求項４】
前記出力部は、前記第１の予測視聴率よりも前記第２の予測視聴率で視聴率が所定の低下条件を満たして低下している放送枠の表示形式を、前記第１の予測視聴率と前記第２の予測視聴率との間の視聴率の差の大きさに応じて異ならせるように前記表示情報を出力する、請求項２に記載の情報処理装置。
【請求項５】
前記第１の番組枠は、前記番組表において前記第１の予測視聴率よりも前記第２の予測視聴率で視聴率が前記所定の上昇条件を満たして上昇しており、かつ、前記クライアントの前記広告キャンペーンの発注条件で指定されているゾーンに属している番組枠であり、
前記ゾーンは、逆Ｌ型、全日型、ヨの字型、コの字型、逆Ｆ型、深夜型、および全日昼型のうちの少なくとも１つを含み、前記番組表においてコマーシャルを割り当てる対象とする時間帯を指定する情報である、請求項１から４のいずれか１項に記載の情報処理装置。
【請求項６】
前記クライアントの広告キャンペーンと対応する前記コマーシャルを放送する前記放送枠のうちから前記コマーシャルの放送を取りやめる削除対象として指定された削除枠と、新たに前記コマーシャルを放送する放送枠の候補として指定された追加候補枠とを含む改案指示を通知する通知部と、
前記改案指示で指定された前記削除枠および前記追加候補枠の情報を前記クライアントと対応づけた改案履歴情報を記憶部に保存する保存部と、
を更に含む、請求項１から４のいずれか１項に記載の情報処理装置。
【請求項７】
前記第１の予測視聴率よりも前記第２の予測視聴率で視聴率が第２の低下条件を満たして低下している放送枠を、前記削除枠として指定する指定部を更に含む、請求項６に記載の情報処理装置。
【請求項８】
前記改案履歴情報には、前記クライアントの過去の広告キャンペーンにおける前記改案指示で指定された前記削除枠および前記追加候補枠が前記クライアントと対応づけて登録されており、
前記改案履歴情報において、前記削除枠として所定の条件を満たして高い頻度で指定される番組位置と対応する前記番組表における第２の番組枠が、前記コマーシャルを放送する前記放送枠である場合に、前記第２の番組枠を前記削除枠として指定する指定部を更に含む、請求項６に記載の情報処理装置。
【請求項９】
前記改案履歴情報には、前記クライアントの過去の広告キャンペーンにおける前記改案指示で指定された前記削除枠および前記追加候補枠が前記クライアントと対応づけて登録されており、
前記改案履歴情報において、前記追加候補枠として所定の条件を満たして高い頻度で指定される番組位置と対応する前記番組表における第２の番組枠が、前記コマーシャルを放送する前記放送枠でない場合に、前記第２の番組枠を前記追加候補枠として指定する指定部を更に含む、請求項６に記載の情報処理装置。
【請求項１０】
前記改案履歴情報は、更に、前記追加候補枠と対応づけて、前記追加候補枠の改案指示が成功したか否かを示す改案の成否の情報を含み、
前記指定部は、前記番組位置の番組枠への前記追加候補枠の改案指示の成功率を、前記改案の成否の情報に基づき特定し、前記改案指示の成功率が所定の閾値以下である場合、前記第２の番組枠の前記追加候補枠への指定を取りやめる、
請求項９に記載の情報処理装置。
【請求項１１】
前記保存部は、前記改案履歴情報において、前記改案指示で指定された前記削除枠および前記追加候補枠の情報を、更に前記クライアントの前記広告キャンペーンの発注条件で指定されているターゲット層の情報と対応づけて保存し、
前記ターゲット層は、マーケティングの分野における性および年齢別の区分を含むコマーシャルのターゲットを指定する情報である、請求項６に記載の情報処理装置。
【請求項１２】
番組表に含まれる複数の番組枠のうちで、クライアントの広告キャンペーンと対応するコマーシャルを放送する放送枠を判別するための判別情報を前記番組表において前記放送枠と対応づけて表示させる表示情報を出力する工程と、
前記番組表に含まれる前記複数の番組枠の各番組枠に対して第１の予測アルゴリズムにより予測された第１の予測視聴率と、前記第１の予測アルゴリズムよりも予測精度の高い第２の予測アルゴリズムにより予測された第２の予測視聴率とを比較する工程と、
を含む、情報処理装置が実行する改案支援方法であって、
前記出力する工程は、前記第１の予測視聴率よりも前記第２の予測視聴率で視聴率が所定の上昇条件を満たして上昇している第１の番組枠を、前記番組表において他の番組枠とは異なる表示形式で表示させるように前記表示情報を出力する、ことを特徴とする改案支援方法。
【請求項１３】
番組表に含まれる複数の番組枠のうちで、クライアントの広告キャンペーンと対応するコマーシャルを放送する放送枠を判別するための判別情報を前記番組表において前記放送枠と対応づけて表示させる表示情報を出力し、
前記番組表に含まれる前記複数の番組枠の各番組枠に対して第１の予測アルゴリズムにより予測された第１の予測視聴率と、前記第１の予測アルゴリズムよりも予測精度の高い第２の予測アルゴリズムにより予測された第２の予測視聴率とを比較する、
処理を、コンピュータに実行させる改案支援プログラムであって、
前記出力する処理は、前記第１の予測視聴率よりも前記第２の予測視聴率で視聴率が所定の上昇条件を満たして上昇している第１の番組枠を、前記番組表において他の番組枠とは異なる表示形式で表示させるように前記表示情報を出力する、ことを特徴とする、改案支援プログラム。
【請求項１４】
番組表に含まれる複数の番組枠のうちで、クライアントの広告キャンペーンと対応するコマーシャルを放送する放送枠を判別するための判別情報を前記番組表において前記放送枠と対応づけて表示させる表示情報を出力する出力部と、
前記番組表に含まれる前記複数の番組枠の各番組枠に対して第１のデータを用いて予測された第１の予測視聴率と、前記第１のデータよりも後に収集された第２のデータを用いて予測された第２の予測視聴率とを比較する比較部と、を含み、
前記出力部は、前記第１の予測視聴率よりも前記第２の予測視聴率で視聴率が所定の上昇条件を満たして上昇している第１の番組枠を、前記番組表において他の番組枠とは異なる表示形式で表示させるように前記表示情報を出力する、情報処理装置。
【発明の詳細な説明】
【技術分野】
【０００１】
本発明は、情報処理装置、改案支援方法、および改案支援プログラムに関する。
【背景技術】
【０００２】
例えば、地上波放送などのテレビ放送においては、広告としてコマーシャル（ＣＭ：Commercial  Message）が放送される。ＣＭは、タイムＣＭ（time  CM）およびスポットＣＭ（spot  CM）に大別される。タイムＣＭは、例えば、番組と一体で売買される枠で放送されるＣＭであって、プログラムコマーシャル（program  commercial）、番組ＣＭ、提供ＣＭなどと呼ばれてもよい。
【０００３】
スポットＣＭは、例えば、番組に関係なくテレビ局が定めた時間に挿入されるＣＭである。スポットＣＭは、番組間で放送されるステーションブレイク（ＳＢ：Station  Break）、番組内に挿入されるが提供表示が付かないパーティシペーション（ＰＴ：Participation）（またはパーティシペーティングＣＭ）などに分けられる。
【０００４】
スポットＣＭでは、例えば、放送局における作案担当者と、広告代理店のテレビ局担当およびプランナーなどが経験に基づいて、どのＣＭをどの時間帯に放送するかを示すＣＭの放送スケジュールを決定する作案の作業を行っている。なお、放送局における作案担当者は、例えば、作案デスクなどと呼ばれてもよい。また、広告代理店のテレビ局担当は、例えば、局担当などと呼ばれてもよい。
【０００５】
そして、広告スケジュールを決定する作業を効率化することに関する技術が知られている（例えば、特許文献１）。
【先行技術文献】
【特許文献】
【０００６】
【特許文献１】特開２０１９−１４４６３４号公報
【発明の概要】
【発明が解決しようとする課題】
【０００７】
しかしながら、作案では、例えば、放送局の都合と、広告を依頼するクライアントの要望とを合致させるために、作案で決定したＣＭの放送スケジュールに変更が求められることがある。この場合に、どのＣＭの放送枠を削除し、また、どの番組の広告枠をＣＭの放送枠として追加するかなどの変更対象とする番組の検討に時間や手間を要することがある。
【０００８】
そこで、１つの側面では、本発明は、ＣＭの放送スケジュールの変更作業を容易にすることのできる技術を提供することを目的とする。
【課題を解決するための手段】
【０００９】
本発明の一つの態様の情報処理装置は、番組表に含まれる複数の番組枠のうちで、クライアントの広告キャンペーンと対応するコマーシャルを放送する放送枠を判別するための判別情報を番組表において放送枠と対応づけて表示させる表示情報を出力する出力部と、番組表に含まれる前記複数の番組枠の各番組枠に対して第１の予測アルゴリズムにより予測された第１の予測視聴率と、第１の予測アルゴリズムよりも予測精度の高い第２の予測アルゴリズムにより予測された第２の予測視聴率とを比較する比較部と、を含み、出力部は、第１の予測視聴率よりも第２の予測視聴率で視聴率が所定の上昇条件を満たして上昇している第１の番組枠を、番組表において他の番組枠とは異なる表示形式で表示させるように表示情報を出力する。
【００１０】
また、本発明の別の態様の情報処理装置は、番組表に含まれる複数の番組枠のうちで、クライアントの広告キャンペーンと対応するコマーシャルを放送する放送枠を判別するための判別情報を番組表において放送枠と対応づけて表示させる表示情報を出力する出力部と、番組表に含まれる複数の番組枠の各番組枠に対して第１のデータを用いて予測された第１の予測視聴率と、第１のデータよりも後に収集された第２のデータを用いて予測された第２の予測視聴率とを比較する比較部と、を含み、出力部は、第１の予測視聴率よりも第２の予測視聴率で視聴率が所定の上昇条件を満たして上昇している第１の番組枠を、番組表において他の番組枠とは異なる表示形式で表示させるように表示情報を出力する。
【発明の効果】
【００１１】
一つの態様によれば、ＣＭの放送スケジュールの変更作業が容易になる。
【図面の簡単な説明】
【００１２】
【図１】実施形態に係るＣＭの放送スケジュールの作案システムを例示する図である。
【図２】実施形態に係る改案サーバのブロック構成を例示する図である。
【図３】実施形態に係る番組情報を例示する図である。
【図４】実施形態に係る番組表を例示する図である。
【図５】実施形態に係る広告依頼情報を例示する図である。
【図６】実施形態に係る放送スケジュール情報を例示する図である。
【図７】実施形態に係る番組表の表示画面を例示する図である。
【図８】実施形態に係る番組表の別の表示画面を例示する図である。
【図９】実施形態に係る改案指示が登録された表示画面を例示する図である。
【図１０】実施形態に係る改案指示を例示する図である。
【図１１】実施形態に係る改案履歴情報を例示する図である。
【図１２】実施形態に係る改案指示の履歴を含む表示画面を例示する図である。
【図１３】過去の改案指示の傾向に基づく改案指示を含む番組表の表示画面を例示する図である。
【図１４】実施形態に係るＣＭの放送スケジュールの改案支援処理の動作フローを例示する図である。
【図１５】実施形態に係る表示情報に基づき表示される番組表の表示例を示す図である。
【図１６】実施形態に係る改案サーバを実現するためのコンピュータなどの情報処理装置のハードウェア構成を例示する図である。
【発明を実施するための形態】
【００１３】
以下、図面を参照しながら、本発明のいくつかの実施形態について詳細に説明する。なお、複数の図面において対応する要素には同一の符号を付す。
【００１４】
例えば、広告代理店では、クライアントからスポットＣＭを放送する広告キャンペーンの依頼を受け付けている。なお、広告キャンペーンとは、例えば、広告を管理するための単位で、所定のテーマを共有するものであってよい。そして、広告キャンペーンの依頼が来ると、広告代理店は、クライアントからの依頼の発注条件に基づいて広告枠の取引を行う。その後、広告代理店は、クライアントからの発注条件を放送局に伝える。放送局では、複数のクライアントの発注条件を収集し、それらの複数のクライアントの発注条件を満たすように、クライアントごとにＣＭを放送する放送枠を決定して、ＣＭの放送スケジュールを作案する。そして、作案されたクライアントのＣＭの放送スケジュールは、広告代理店に提供される。
【００１５】
広告代理店では、クライアントのＣＭの放送スケジュールを受け取ると、放送スケジュールがクライアントからの要望を満たしているかの確認を行い、クライアントの要望が満たされていなければ、放送局の都合を考慮しつつ改案指示を放送局に通知する。
【００１６】
改案指示を受け取ると、放送局では他のクライアントからの要望なども考慮しつつ、改案指示に基づいてクライアントのＣＭの放送スケジュールを修正し、得られた改案は、また広告代理店に提供される。
【００１７】
こうしたＣＭの放送スケジュールの作案では、放送局の都合とクライアントの要望とをすり合わせる必要があるため、作案の作業はなかなか１度では完了せず、作案されたＣＭの放送スケジュールをベースに改案が繰り返されることがある。
【００１８】
そして、改案作業では、放送スケジュールにおいてＣＭの放送が割り付けられた放送枠のうちから、どの放送枠を削り、また、どの番組を放送枠として追加するかなどの放送枠の変更の検討が必要であり、この検討に時間や手間を要することがある。そのため、ＣＭの放送スケジュールの変更作業を容易にすることのできる技術の提供が望まれている。
【００１９】
ところで、スポットＣＭの広告枠の取引は、一般には、累計視聴率を用いて行われている。累計視聴率は、例えば、ＧＲＰ（Gross  Rating  Point）、ＡＬＬ（Ｐ＋Ｃ７）、ＴＲＰ（Target  Rating  Point）と呼ばれる視聴率を含んでよい。
【００２０】
そして、広告枠の取引が行われるのは、ＣＭが放送される放送日の数カ月前（例えば、２カ月前程度）であるため、取引の段階では実際にその番組を放送した際の視聴率がいくつになるのかは不明である。そのため、取引は、予測視聴率に基づいて売買が行われる。なお、取引において価格の見積もりに用いられる予測視聴率を、以下では見積視聴率または第１の予測視聴率と呼ぶことがある。また、放送した際の実際の視聴率を、以下ではアクチュアルの視聴率と呼ぶことがある。
【００２１】
取引に用いられる見積視聴率は、例えば、第１の予測アルゴリズムで予測された視聴率であってよく、または、見積視聴率は、例えば、第１のデータに基づいて予測された視聴率であってよい。一例として、見積視聴率には、４週平均視聴率および８週平均視聴率などの過去の放送実績に基づく予測視聴率が利用されている。４週平均視聴率は、例えば、発注号数の当週を除いた前４週間分の同じ曜日、同じ時間区分の平均視聴率である。なお、発注号数とは、１年の最初の月曜日を含む週を１号と数え、以降、週ごとに２号、３号と付与される１年間における週の位置を指定する番号である。
【００２２】
クライアントは、例えば、発注号数と発注の累計視聴率とを指定してＣＭの広告キャンペーンを依頼し、取引は、発注の累積視聴率に対して価格が設定されて行われる。そして、作案では、この発注号数で計算された見積視聴率に基づいて、発注の累計視聴率が満たされるようにＣＭの放送枠の枠取りが行われる。
【００２３】
しかしながら、取引に用いられる４週平均視聴率などの見積視聴率はあくまで予測であるため、実際に放送してアクチュアルの視聴率を測定すると、見積視聴率を大きく下回る番組がでてしまうことがある。そして、このように見積視聴率よりもアクチュアルの視聴率が低下する番組でＣＭを放送してしまうと、クライアントが発注の際に指定した累計視聴率をアクチュアルの視聴率が大きく下回ることがあり、クライアントが期待した広告効果を提供できないことがある。
【００２４】
そのため、例えば、取引に用いた見積視聴率などの予測視聴率を、アクチュアルの視聴率が下回ることが推定される番組がＣＭの放送枠として設定されている場合には、その番組に割り当てたＣＭの放送を取りやめて、別の枠で放送するなどの改案を行うことが望ましい。また、改案において新たにＣＭの放送枠として指定する番組は、見積視聴率などの予測視聴率を、アクチュアルの視聴率が上回ることが推定される番組であることが望ましい。
【００２５】
なお、視聴率の予測精度は、放送日が近づくにつれ向上させることが可能である。ここで、予測視聴率の予測精度が高いとは、例えば、アクチュアルの視聴率により近い視聴率を予測できることを表す。例えば、放送日が近づいてくると、番組に関する詳細な情報が利用可能となったり、放送日の天候や放送日付近での時事に関する情報などを入手できたりするようになり、こうした情報を利用することで視聴率の予測精度を向上させることができる。
【００２６】
例えば、番組のジャンル、放送内容、および出演者などの番組に関する詳細な情報は、放送日が近づくと放送局から提供を受けることが可能である。これらの情報を用いて予測視聴率を補正することで視聴率の予測精度を向上させることが可能である。
【００２７】
一例として、番組の放送内容を説明する記述に、トレンドワード（トレンドキーワードとも呼ぶことがある）や、人気のあるタレントの名前が含まれている場合、番組の視聴率が上昇する傾向がある。なお、トレンドワードとは、例えば、現在注目されているタレントまたは話題等を示すワードであってよい。そのため、例えば、番組の放送内容を説明する記述などにトレンドワードや、人気のある所定のタレントの名前が含まれている場合、予測した番組の視聴率を上方修正することで、視聴率の予測精度を高めることができる。
【００２８】
また、例えば、晴れの日および雨の日におけるアクチュアル視聴率を調査すると、雨の日の方が晴れの日よりも視聴率が高くなる傾向があることが分かる。そして、放送日の天気予報のデータは、例えば、放送日が近づくにつれより高い精度で利用可能である。そこで、天気予報を利用して予測視聴率を補正することで、予測視聴率の予測精度を向上させることができる。一例として、天気予報のデータから放送日の降水量パターンを推定し、降水量パターンに基づいて予測視聴率を補正することで、放送日の天気を反映した予測視聴率を求めることが可能である。
【００２９】
そして、以上のように、例えば、見積視聴率の予測に用いた第１の予測アルゴリズムよりも予測精度の高い第２の予測アルゴリズムを用いて予測を行うことで、取引に用いられた見積視聴率よりも予測精度の高い予測視聴率を取得することができる。或いは、例えば、見積視聴率の予測に用いた第１のデータよりも後（放送日により近い日時）に取得された第２のデータを用いて予測を行うことで、取引に用いられた見積視聴率よりも予測精度の高い予測視聴率を取得することができる。なお、以下では、この見積視聴率よりも予測精度の高い予測視聴率を、第２の予測視聴率と呼ぶことがある。ここで、第２の予測視聴率の予測精度は、予測された視聴率の全てで第１の予測視聴率よりも予測精度が高くなくてもよく、例えば、番組表に含まれる複数の番組のうちで、第１の予測視聴率よりも第２の予測視聴率の方が予測精度の高かった番組が、所定の割合（７０〜９０％以上など）以上で含まれていればよい。
【００３０】
そして、以下で述べる実施形態では、取引に用いられた見積視聴率よりも予測精度の高い第２の予測視聴率を用いて、アクチュアルの視聴率が見積視聴率から低下する可能性の低い番組枠を特定し、その番組枠を、番組表において他の番組枠とは異なる表示形式で表示させるように表示情報を出力する。そのため、表示情報に基づき表示される表示画面を参照することで、改案を検討する担当者は、アクチュアルの視聴率が見積視聴率から低下する可能性の低い番組を容易に見つけることができ、改案において新たにＣＭの放送枠として指定する番組を容易に決定することができる。
【００３１】
また、以下で述べる実施形態では、放送スケジュールで指定されているクライアントの広告キャンペーンのＣＭを放送する放送枠のうちから、第２の予測視聴率を用いて、アクチュアルの視聴率が見積視聴率から低下する可能性の高い放送枠を特定する。そして、その特定した放送枠を、番組表において他の番組枠とは異なる表示形式で表示させるように表示情報を出力する。そのため、表示情報に基づき表示される表示画面を参照することで、改案を検討する担当者は、アクチュアルの視聴率が見積視聴率から低下する可能性の高い番組を容易に見つけることができ、その番組での放送を取りやめることができる。
【００３２】
従って、実施形態によれば、ＣＭの放送スケジュールの変更作業が容易になる。以下、実施形態を更に詳細に説明する。
【００３３】
図１は、実施形態に係るＣＭの放送スケジュールの作案システム１００を例示する図である。作案システム１００は、例えば、放送局１０１、広告代理店１０２、およびクライアント１０３を含む。
【００３４】
放送局１０１は、放送を行う事業体または設備である。放送局１０１は、例えば、放送スケジュールに従って番組やＣＭを放送する。広告代理店１０２は、クライアント１０３からの広告依頼を受けてＣＭの放送を放送局１０１に依頼し、ＣＭは番組の広告枠において放送される。クライアント１０３は、例えば、広告代理店１０２に広告を依頼する企業および団体などであってよい。
【００３５】
放送局１０１は、放送スケジュールに従って番組やＣＭを放送するための営放システム１１１を備えている。営放システム１１１は、例えば、テレビ（ＴＶ：television）に対して放送を配信する装置であり、地上波放送、放送衛星（ＢＳ：Broadcasting  Satellite）／通信衛星（ＣＳ：Communications  Satellite）による放送、インターネット放送（インターネットテレビ）などの少なくとも１つを含んでよい。また、テレビは、例えば、多機能テレビ、スマートＴＶ、ＩＰ（Internet  Protocol）ＴＶ、セットトップボックスなどを含んでもよい。
【００３６】
そして、実施形態では、広告代理店１０２は、ＣＭの放送スケジュールの変更作業を支援する改案サーバ１２１を備える。以下、改案サーバ１２１を用いた改案支援の流れについて説明する。
【００３７】
例えば、クライアント１０３が、広告代理店１０２に広告キャンペーンの発注条件を提示し、ＣＭの放送を依頼する広告依頼をしたとする（図１の（１））。この場合、広告代理店１０２は、広告依頼を受けると、依頼された広告キャンペーンの発注条件を放送局１０１に伝えて、その広告キャンペーンのＣＭを放送する放送スケジュールの作案を依頼する（図１の（２））。
【００３８】
放送局１０１では作案担当者は、様々なクライアント１０３からの作案依頼に含まれる発注条件を考慮しつつ、番組の広告枠にクライアントのＣＭを割り当てて、クライアントの広告依頼に対するＣＭの放送スケジュールを作案する。なお、以下、このクライアントの広告依頼に対して最初に作成されるＣＭの放送スケジュールを初案と呼ぶことがある。
【００３９】
作成された初案は、例えば、ＥＤＩなどの通信を介して営放システム１１１から広告代理店１０２の改案サーバ１２１に提供される（図１の（３））。なお、ＥＤＩ（Electronic  Data  Interchange）は、電子データ交換とも呼ばれ、例えば、受発注、出荷、請求、支払などの各種取引データを、通信回線（オンラインを含んでよい）を通じて企業間でやり取りするための電子商取引の仕組みである。
【００４０】
広告代理店１０２の改案サーバ１２１に初案が届くと、広告代理店１０２では放送スケジュールの初案の改案の検討が行われる。改案サーバ１２１には、例えば、ＬＡＮ（Local  Area  Network）などのネットワークを介して少なくとも１つの端末１２２が接続されていてよい。端末１２２は、表示装置１２３を含んでよく、または表示装置１２３と接続されていてよい。表示装置１２３は、例えば、ディスプレーやプロジェクタなどの情報を表示するデバイスである。
【００４１】
そして、端末１２２の利用者は、端末１２２を介して改案サーバ１２１に接続し、改案サーバ１２１から受信した表示情報に基づいて初案などのＣＭの放送スケジュールを表示装置１２３に表示させて改案を検討する（図１の（４））。なお、端末１２２の利用者は、例えば、放送局側の観点から改案の検討を行う局担当や、クライアント側の観点から改案の検討を行うプランナーを含んでよく、局担当とプランナーでは改案において重視するポイントが異なるため、改案サーバ１２１では複数回の改案の検討作業が行われてよい。
【００４２】
改案の検討結果がまとまると、改案サーバ１２１は改案指示を例えばメールなどを介して放送局１０１に通知する（図１の（５））。改案指示は、例えば、ＣＭの放送スケジュールにおいて放送を取りやめる広告枠を示す削除枠の情報や、新たにＣＭの放送を希望する追加候補の番組枠を示す追加候補枠の情報を含んでよい。
【００４３】
放送局１０１では作案担当者は、改案指示の通知を受けると、改案指示の内容を参考に、初案を編集して改案を作成し、改案をＥＤＩなどの通信を介して営放システム１１１から広告代理店１０２の改案サーバ１２１に提供する（図１の（６））。
【００４４】
広告代理店１０２は、改案サーバ１２１に提供された改案をクライアントに通知する（図１の（７））。その後も、改案に対してクライアントが同意しなかったり、視聴率予測の結果、発注の累積視聴率に対して十分な累積視聴率が稼げないことが発覚したりといった、更なる改案を要する事象が発生すると、改案の検討サイクルは繰り返され、最終的なＣＭの放送スケジュールが作成される。
【００４５】
そして、例えば、上述の局担当やプランナーなどの端末１２２の利用者が改案を検討する際に（図１の（４））、実施形態では改案サーバ１２１は、改案の検討を支援する表示画面を表示するための表示情報を、端末１２２などに出力する。以下、改案サーバ１２１が実行する改案の検討を支援する処理について、更に詳細に説明する。
【００４６】
図２は、実施形態に係る改案サーバ１２１のブロック構成を例示する図である。改案サーバ１２１は、例えば、コンピュータなどの情報処理装置であってよい。改案サーバ１２１は、例えば、制御部２０１、記憶部２０２、および通信部２０３を含む。制御部２０１は、例えば、改案サーバ１２１の全体を制御する。制御部２０１は、例えば、出力部２１１、比較部２１２、通知部２１３、保存部２１４、および指定部２１５などを含み、その他の機能部を含んでもよい。改案サーバ１２１の記憶部２０２は、例えば、後述する番組情報３００、広告依頼情報５００、放送スケジュール情報６００、改案履歴情報１１００などの情報を記憶している。通信部２０３は、制御部２０１の指示に従って、営放システム１１１や端末１２２などの他の装置と通信する。これらの各部の詳細および記憶部２０２に格納されている情報の詳細については後述する。
【００４７】
図３は、実施形態に係る番組情報３００を例示する図である。番組情報３００には、ＣＭの放送を割り当てる対象の広告枠を含む放送局の所定期間の番組の情報が登録されている。図３の例では、番組情報３００には、放送局コード、放送日、開始時間、終了時間、放送分数、番組名、番組詳細、ジャンル、予測視聴率、そして、広告依頼識別子ごとの見積視聴率の情報が対応付けられたレコードが登録されている。
【００４８】
放送局コードは、放送局１０１を識別するための情報である。放送日は、レコードと対応する番組が放送される日付である。開始時間、終了時間、および放送分数は、レコードと対応する番組の放送の開始時刻、放送の終了時刻、および放送される分数を示している。番組名は、レコードと対応する番組の名称であり、番組詳細は、レコードと対応する番組についての詳細な情報が登録される。番組詳細は、例えば、番組で放送する話題などの内容に関する情報、出演タレントの情報などを含んでよい。ジャンルは、レコードと対応する番組のジャンルを示す情報である。番組のジャンルは、例えば、ニュース、バラエティ、ドラマ、映画、音楽、スポーツ、その他などを含んでよい。予測視聴率は、レコードと対応する番組に対する予測視聴率である。見積視聴率は、レコードと対応する番組に対して、広告依頼識別子で識別される広告依頼の取引の見積もりで用いられた予測視聴率である。見積視聴率は、一例では、発注条件で指定された発注号数に基づいて決定されてよい。番組情報３００の予測視聴率は、見積視聴率よりも予測精度の高い第２の予測視聴率であってよい。
【００４９】
そして、制御部２０１は、例えば、図３の番組情報３００から所定の期間の番組の情報を読み出し、番組表を生成することができる。一例では、制御部２０１は、クライアントからの広告依頼でＣＭを割り当てる対象として指定される期間内の１週間の番組の情報を読み出し、番組表を生成してよい。
【００５０】
図４は、実施形態に係る番組表を例示する図である。例えば、図４では、４月１日〜７日（月〜金）までの一週間において朝の５時から深夜２９時までの放送時間の番組が、番組ごとに分割されて示されている。なお、番組は、少なくとも１つの広告枠を含んでよいが、必ずしも広告枠を含まなくてもよい。以下の説明において、番組にＣＭを割り当てるとは、例えば、番組内の広告枠にＣＭの放送を割り当てることを意味してよい。また、放送枠は、例えば、ＣＭの放送が割り当てられた番組枠および広告枠を意味してよい。なお、番組表は、図４に示す例に限定されるものではない。例えば、番組表は、放送される番組の放送の予定を、放送局と放送時間とによってまとめたその他の表形式の情報であってもよい。以下、番組表の番組枠へのクライアントの広告キャンペーンのＣＭの割り当てについて説明する。
【００５１】
図５は、実施形態に係る広告依頼情報５００を例示する図である。広告依頼情報５００には、クライアント１０３からの広告依頼と対応するレコードが登録されている。図５の例では、広告依頼情報５００には、例えば、広告依頼識別子、クライアント、発注の累積視聴率、ゾーン指定、秒数、開始、終了、Ｐ／Ｃ、Ａ単価、ＡＧシェア、含有比率、週別バランス、および段積みの情報を対応づけるレコードが登録されている。
【００５２】
広告依頼識別子は、例えば、レコードと対応する広告依頼を識別するための識別子である。クライアントは、例えば、レコードと対応する広告依頼を行ったクライアントを示す情報である。発注の累積視聴率は、例えば、レコードと対応する広告依頼で発注された累積視聴率を示す情報である。なお、累積視聴率は、例えば、ＧＲＰ、ＡＬＬ（Ｐ＋Ｃ７）、ＴＲＰなどを含む視聴率を用いて表されてよい。ゾーン指定は、例えば、レコードと対応する広告依頼で指定されたＣＭを放送するゾーンを番組表において指定する情報である。ゾーンは、例えば、逆Ｌ型、全日型、ヨの字型、コの字型、逆Ｆ型、深夜型、全日昼型などと呼ばれるゾーンを含んでよい。或いは、ゾーンは、クライアントなどが番組表において任意に指定したゾーンなどのその他のゾーンであってもよい。秒数は、例えば、レコードと対応する広告依頼で放送するＣＭの秒数である。開始および終了は、レコードと対応する広告依頼でＣＭを放送する対象とする期間を示す情報であり、開始はＣＭの放送開始日、終了はＣＭの放送終了日を示す情報である。
【００５３】
Ｐ／Ｃ（パーコスト）は、例えば、レコードと対応する広告依頼で指定された発注の累積視聴率１％あたりの値段を示す情報である。Ａ単価は、例えば、レコードと対応する広告依頼で指定されるＡ単価である。Ａ単価は、例えば、発注金額をＡタイムの本数で割った値を指定する情報である。ＡＧシェアは、例えば、レコードと対応する広告依頼で指定されるＡＧシェアである。ＡＧシェアとは、例えば、発注の累積視聴率に対して、Ａタイムだけで獲得される累積視聴率の割合を指定する情報である。含有比率は、例えば、ターゲット視聴率（ＴＲＰ）／世帯視聴率（ＧＲＰ）を表す比であってよい。なお、含有比率は、含有率と呼ばれることもある。また、ターゲット視聴率のターゲット層は、例えば、マーケティングの分野で用いられる性・年齢別区分（Ｃ（Child）層、Ｔ（Teen）層、Ｍ（Male）１−Ｍ３層、Ｆ（Female）１−Ｆ３層）であってよいが、これに限られない。ターゲットの含有比率の高い番組枠を見つけることができれば、同じ累積視聴率でもより多くのターゲットにＣＭをリーチさせることができる。週別バランスは、例えば、広告依頼で依頼されたＣＭを放送する対象とする期間において、発注の累積視聴率に対して週で獲得する累積視聴率を指定する情報であってよい。段積みは、例えば、１つの番組で同じＣＭを複数回（例えば、２回）流すという段積みのパターンのＣＭを許容するか否かを示す情報である。なお、広告依頼情報５００に登録される情報は、これらに限定されるものではない。例えば、図５の広告依頼情報５００に示される情報の一部は含まれていなくてもよく、更なる別な情報が含まれていてもよい。
【００５４】
広告代理店１０２では、クライアント１０３から広告依頼を受けると、広告依頼に含まれる情報から、例えば、以上のような情報を特定し、広告依頼情報５００にレコードとして登録してよい。また、広告代理店１０２は、広告依頼の内容を放送局１０１に通知する。そして、放送局１０１の作案担当者は、広告依頼の内容に基づいて、クライアント１０３に対するＣＭの放送スケジュールの初案を作案したり、その後の改案指示に応じて改案の放送スケジュールを作案したりしてよい。
【００５５】
図６は、実施形態に係る放送スケジュール情報６００を例示する図である。放送スケジュール情報６００には、例えば、広告依頼されたクライアントのＣＭの放送スケジュールが登録されている。図６の例では、放送スケジュール情報６００は、広告依頼識別子、放送日、開始時間、終了時間、ＣＭ秒数、タイムランク、種別、予測視聴率、見積視聴率、実績視聴率などが対応づけられた放送枠に関するレコードを含む。広告依頼識別子は、例えば、レコードと対応する放送枠で流すＣＭの広告依頼を識別するための識別子である。放送スケジュール情報６００の広告依頼識別子は、例えば、広告依頼情報５００の広告依頼識別子と対応する情報であってよい。放送日、開始時間、および終了時間は、例えば、レコードと対応する放送枠の番組が放送される放送日、開始時間、および終了時間を示す情報である。ＣＭ秒数は、例えば、レコードと対応する放送枠で流すＣＭの秒数を示す情報である。なお、ＣＭは、例えば、１５秒または３０秒で作成されることが多い。タイムランクは、例えば、レコードと対応する放送枠のタイムランクを示す情報である。タイムランクは、例えば、広告効果およびテレビ視聴状況をもとに、テレビ局が曜日および時間帯別に設定したＣＭ料金の基準のための時間区分である。種別は、例えば、レコードと対応する放送枠でＣＭを放送する広告枠の種別を示す情報であり、例えば、ＳＢおよびＰＴを含んでよい。予測視聴率は、例えば、レコードと対応する放送枠の番組に対する予測視聴率である。見積視聴率は、レコードと対応する放送枠の番組に対して、クライアントとの取引で用いられた見積視聴率である。実績視聴率は、例えば、レコードと対応する放送枠の番組を放送した際に計測されるアクチュアルの視聴率である。なお、図６の例では、放送スケジュール情報６００に登録されているレコードの放送枠の番組は未だ放送されていないため、実績視聴率には値が登録されていない。放送スケジュール情報６００に登録されているレコードの放送枠のＣＭが放送されると、改案サーバ１２１の制御部２０１は、放送の際に計測されたアクチュアルの視聴率を実績視聴率に登録してよい。
【００５６】
なお、図６の放送スケジュール情報６００は、例えば、放送局１０１の作案担当者が、広告依頼に対して作成したＣＭの放送スケジュールの初案や改案に基づいて生成され、記憶部２０２に記憶されてよい。
【００５７】
そして、実施形態では、改案サーバ１２１の制御部２０１は、例えば、番組情報３００と、放送スケジュール情報６００とから、クライアントのＣＭが番組に割り当てられている番組表の表示画面７００を表示するための表示情報を生成する。
【００５８】
図７は、実施形態に係る番組表の表示画面７００を例示する図である。図７では、クライアントのＣＭが広告枠に割り当てられている放送枠の番組を判別するための判別情報として、斜めの線、または横線の線引きが表示されている。ここで、斜めの線引きはＰＴを表しており、また、横の線引きはＳＢを表している。なお、ＰＴは、番組の中で放送されるＣＭであり、ＳＢは、番組間で放送されるＣＭである。
【００５９】
また、図７の例では、見積視聴率よりも予測視聴率が上回る番組の線引きが実線で示されており、見積視聴率が予測視聴率を上回る番組の線引きは二重線で示されている。なお、予測視聴率は、例えば、見積視聴率よりも予測精度の高い第２の予測視聴率であってよい。そして、このように、見積視聴率と予測視聴率との大小関係に応じて、線引きなどの判別情報の表示形式を異ならせることで、端末１２２の利用者は、アクチュアルの視聴率で見積視聴率が確保できる放送枠や、見積視聴率からの視聴率の低下が見込まれる放送枠の容易に特定することが可能である。
【００６０】
例えば、広告代理店１０２の局担当やプランナーは、表示画面７００を参照することで、視聴率が見積視聴率を下回る可能性が高い放送枠を、示された二重線の線引きから容易に特定することができる。そして、特定した視聴率が見積視聴率を下回る可能性が高い放送枠でのＣＭの放送を取りやめるか否かを検討することができる。また、広告代理店１０２の局担当やプランナーは、例えば、実線が引かれたＣＭ枠については見積視聴率を確保できる可能性が高いことを知ることができる。
【００６１】
また、図７の表示画面７００では、表示欄７０１において、目標の累積視聴率、見積の累積視聴率、および予測の累積視聴率の情報が表示されている。目標の累積視聴率は、広告依頼で指定された発注の累積視聴率であってよく、広告依頼で指定された固定値が表示されている。また、見積の累積視聴率は、例えば、表示画面７００の番組表に示される各放送枠に対する見積視聴率を累積した値である。予測の累積視聴率は、例えば、表示画面７００の番組表に示される各放送枠に対して、見積視聴率よりも高い予測精度で求められた第２の予測視聴率を累積した値である。
【００６２】
また、図７の表示欄７０２には、例えば、端末１２２の利用者が、タッチパネルなどの入力装置を介して、表示画面７００に表示された番組表において番組を選択すると、その選択された番組の情報が表示されてよい。例えば、図７の表示欄７０２には、選択された番組名：番組Ｐの情報や、視聴率として、その番組のジャンル、放送時間、放送分数、予測視聴率、見積視聴率、およびそれらの差分が示されている。
【００６３】
そのため、端末１２２の利用者は、放送枠のうちからＣＭの放送を取りやめる削除枠を選択したり、新たにＣＭの放送を依頼する追加候補枠を選択したりする際に、表示欄７０１および表示欄７０２に表示される情報を利用することができる。
【００６４】
また更に、実施形態では制御部２０１は、見積視聴率と予測視聴率との間の視聴率の差に応じて番組枠を、異なる表示形式で表示させてもよい。
【００６５】
図８は、実施形態に係る番組表の別の表示画面８００を例示する図である。図８の例では、見積視聴率に対して予測視聴率が所定の上昇条件を満たして上昇している（例えば、０．５％を超えて大きい）番組枠を、第１の網掛けパターン８０１などの異なる表示形式で表示させている。そのため、局担当やプランナーなどの端末１２２の利用者は、表示画面８００を参照することで、見積視聴率を達成できる可能性の高い安全な番組枠を特定することができる。
【００６６】
また、図８の例では、ＣＭの放送が割り当てられている放送枠のうちで、見積視聴率よりも予測視聴率が所定の低下条件を満たして低下している放送枠を、第２の網掛けパターン８０２などの異なる表示形式で表示させている。なお、所定の低下条件は、例えば、所定の値を超えて視聴率が低下していることであってよい。所定の値は任意に設定可能であり、例えば、０．０１％〜３．０％の範囲の値であってよく、一例では、０．５％であってよい。そのため、局担当やプランナーなどの端末１２２の利用者は、表示画面８００を参照することで、見積視聴率を達成できる可能性が低い番組を特定することができる。これら放送枠は、そのままＣＭを放送してしまうと、取引で用いた見積視聴率よりもアクチュアルの視聴率が低下してしまう恐れが高く、放送枠から外すことが好ましい。そして、このように表示形式を異ならせることで、利用者は放送枠から外した方が好ましい番組を容易に特定することができる。
【００６７】
従って、実施形態に係る表示画面８００によれば、端末１２２の利用者は、ＣＭの放送スケジュールの改案の検討が容易になる。そして、端末１２２の利用者は、例えば、表示画面８００に表示された番組の表示形式の表示分けを参考に、改案する番組枠を特定し、番組表に改案指示を登録してよい。
【００６８】
図９は、実施形態に係る改案指示が登録された表示画面９００を例示する図である。例えば、図９の表示画面９００では、ＣＭの放送を取りやめる削除枠９０１の改案指示が番組表に登録されている。削除枠９０１は、例えば、削除が必須であることを示す情報や、可能であれば削除を希望することを示す情報などの改案の必要性の度合いを表す付加情報を含んでよい。なお、付加情報は、スタンプや、利用者が任意に設定したコメントなどのその他の情報であってもよい。
【００６９】
また、例えば、図９の表示画面９００では、新たにＣＭを放送する候補となる追加候補枠９０２の改案指示が番組表に登録されている。追加候補枠９０２は、例えば、優先順位を表す情報などの追加候補枠に対する希望を示す付加情報を含んでよい。
【００７０】
なお、端末１２２の利用者は、例えば、番組表の番組を削除枠や追加候補枠として登録する登録指示を端末１２２から改案サーバ１２１に送信することで、改案サーバ１２１において番組表に改案指示を登録してよい。
【００７１】
続いて、改案サーバ１２１の制御部２０１は、番組表に登録された改案指示を、放送局１０１に通知する。例えば、端末１２２の利用者は、端末１２２から改案サーバ１２１に改案指示の通知指示を送信させてよい。それにより、改案サーバ１２１は、改案指示を放送局１０１に通知してよい。なお、一例では、改案サーバ１２１の制御部２０１は、放送局１０１の作案担当者のメールアドレスに、改案指示を含むメールを送信してよい。また、別の実施形態では、改案サーバ１２１の制御部２０１は、営放システム１１１に改案指示を送信してもよい。
【００７２】
図１０は、実施形態に係る改案指示を例示する図である。図１０に示すように、改案指示は、例えば、削除枠の番組を示す情報と、追加候補枠の番組を示す情報とを含んでよい。それにより、放送局１０１の作案担当者は、例えば、通知された改案指示を参考にして、改案を検討することができる。なお、改案サーバ１２１の制御部２０１は、改案指示で通知した内容の履歴を記憶部２０２の改案履歴情報１１００に記録してもよい。
【００７３】
図１１は、実施形態に係る改案履歴情報１１００を例示する図である。改案履歴情報１１００には、例えば、広告依頼識別子、クライアント、ターゲット、改案指示日時、改案指示、付加情報、および番組情報を対応づけるレコードが登録されている。広告依頼識別子は、例えば、レコードと対応する改案指示が出された広告依頼を識別する情報である。広告依頼識別子は、例えば、広告依頼情報５００および放送スケジュール情報６００の広告依頼識別子と対応していてよい。クライアントは、例えば、レコードと対応する改案指示が出された広告依頼のクライアントを示す情報である。ターゲットは、レコードと対応する改案指示が出された広告依頼のターゲットを示す情報である。ターゲットには、例えば、広告依頼情報５００の含有比率にターゲット層が登録されている場合に、そのターゲット層の情報が登録されてよい。改案指示日時は、例えば、レコードと対応する改案指示が出された日時を示す情報である。改案指示および付加情報は、例えば、レコードと対応する改案指示の内容と、その改案指示において付加されている付加情報が登録されてよい。番組情報は、例えば、改案指示で指定した番組を示す情報であり、その番組の放送日、開始時間、終了時間、および番組名などを含んでよい。
【００７４】
そして、実施形態では改案サーバ１２１の制御部２０１は、改案履歴情報１１００を用いて改案指示の履歴を含む表示画面１２００を表示するための表示情報を生成し、出力してよい。なお、出力された表示情報は、例えば、端末１２２に通知されてよく、表示情報に基づいて表示装置１２３に表示画面１２００が表示されてよい。
【００７５】
図１２は、実施形態に係る改案指示の履歴を含む表示画面１２００を例示する図である。図１２では、１次の改案指示から３次の改案指示までの３回の改案指示について、削除枠と、追加候補枠の情報が表示されている。制御部２０１は、例えば、改案履歴情報１１００において広告依頼識別子が一致するレコードを抽出し、改案指示日時で改案指示の版数を特定して履歴を含む表示画面１２００の表示情報を生成し、端末１２２の表示装置１２３に表示させてよい。
【００７６】
そして、端末１２２の利用者は、例えば、履歴を含む表示画面１２００を参照することで、過去のどのような経緯で改案が行われたかを知ることができる。
【００７７】
また更に、改案履歴情報１１００は、クライアントの好みを把握することにも利用することができる。例えば、クライアントによっては、番組表において特定の番組位置に配置されている番組枠でＣＭを放送することを好まないこともある。この場合、例えば、放送局１０１から送られてきた放送スケジュールにおいてクライアント１０３が好まない番組枠がＣＭの放送枠となっていると、クライアント１０３からの要望で、その放送枠を削除枠とする改案指示を出すことになる。そして、改案履歴情報１１００には、番組表の特定の番組位置に配置されている番組枠に対する削除枠の改案指示が蓄積することになる。
【００７８】
また、例えば、クライアントによっては、番組表において特定の番組位置に配置されている番組枠でのＣＭの放送を好むこともある。この場合、例えば、放送局１０１から送られてきた放送スケジュールにおいてクライアント１０３が好む番組枠にＣＭの放送が入っていないと、クライアント１０３からの要望で、その番組枠を、ＣＭを放送する追加候補枠とする改案指示を出すことになる。そして、改案履歴情報１１００には、番組表の特定の番組位置に配置されている番組枠に対する追加候補枠の改案指示が蓄積することになる。
【００７９】
そのため、改案履歴情報１１００に登録されているレコードの情報を集計することで、クライアントの好みに応じた改案指示を設定することができる。
【００８０】
例えば、改案履歴情報１１００に登録されているレコードをクライアントごとに集計した結果、特定の曜日の特定の時間帯に放送される番組枠などの番組表の特定の番組位置において、削除枠の改案指示が所定の条件を満たして高い頻度（例えば、所定期間に所定の回数以上）であったとする。この場合、番組表のその番組位置は、クライアントが好まない番組位置と見なすことができる。そのため、制御部２０１は、クライアントのＣＭの放送スケジュールにおいて、その番組位置に配置されている番組枠が放送枠として指定されている場合、その番組枠を削除枠として改案指示を設定してよい。
【００８１】
また、例えば、改案履歴情報１１００に登録されているレコードをクライアントごとに集計した結果、特定の曜日の特定の時間帯に放送される番組枠などの番組表の特定の番組位置において、追加候補枠の改案指示が所定の条件を満たして高い頻度（例えば、所定期間に所定の回数以上）であったとする。この場合、番組表のその番組位置は、クライアントが好む番組位置と見なすことができる。そのため、制御部２０１は、クライアントのＣＭの放送スケジュールにおいて、その番組位置に配置されている番組枠が放送枠として指定されていなければ、その番組枠を追加候補枠として改案指示を設定してよい。
【００８２】
図１３は、過去の改案指示の傾向に基づく改案指示を含む番組表の表示画面１３００を例示する図である。図１３の例では、改案履歴情報１１００において過去に削除枠として指定された頻度が所定の条件を満たして高かった番組位置に配置されている番組枠１３０１に、削除枠の改案指示が設定されている。
【００８３】
また、図１３の例では、改案履歴情報１１００において過去に追加候補枠として指定された頻度が所定の条件を満たして高かった番組位置に配置されている番組枠１３０２に、追加候補枠の改案指示が設定されている。なお、これらの改案指示には、過去の傾向に基づいて設定された改案指示であることを示す付加情報（例えば、図１３では「過去傾向」の表示）も含まれていてよい。
【００８４】
以上で述べたように、実施形態によれば、改案履歴情報１１００に登録されている過去の改案指示の履歴に基づいて、改案指示を設定することができる。そして、端末１２２の利用者は、表示画面１３００に表示される番組表を参照することで、過去傾向に基づき、番組枠１３０１および番組枠１３０２には改案を行った方がよい可能性があることを知ることができる。なお、以上の例では、過去傾向に基づいて、改案指示を設定する例を述べているが、実施形態はこれに限定されるものではない。別の実施形態では、制御部２０１は、削除枠や追加候補枠の改案指示を設定する代わりに、削除枠や追加候補枠として改案指示を行うことを勧めるリコメンド情報を、表示画面１３００の番組表に表示させるように設定を行ってもよい。
【００８５】
また更に、別の実施形態では改案履歴情報１１００は、レコードと対応する改案指示が実行されたか否かを示す改案の成否の情報を含んでいてもよい。そして、制御部２０１は、例えば、改案履歴情報１１００に基づいて、過去に高い頻度で改案指示が出されている番組位置が特定された場合に、その番組位置の改案指示について、改案の成否の情報から改案の成功率を算出してよい。更に、制御部２０１は、改案の成功率が低い場合に、その番組位置の番組への改案指示の設定に、改案の成功率が低いことを示す情報を含めてもよく、或いは、その番組位置の番組への改案指示の設定を取りやめてもよい。
【００８６】
一例として、或るクライアントについて、改案履歴情報１１００から追加候補枠として指定された頻度が所定の条件を満たして高い番組位置が特定されたとする。この場合に、制御部２０１は、その番組位置でのクライアントの追加候補枠の改案指示について改案の成否の情報を集計し、改案指示の成功率を取得する。そして、制御部２０１は、改案指示の成功率が、例えば３０％以下など任意の所定閾値を下回って低かった場合に、その番組位置に配置されている番組枠への追加候補枠の改案指示の設定を取りやめてよい。
【００８７】
また、制御部２０１は、或るクライアントについて、追加候補枠として指定された頻度が所定の条件を満たして高い番組位置が複数特定された場合に、複数の番組位置のうちから改案指示の成功率に基づいて改案指示を設定する番組位置を絞り込む処理を実行してもよい。例えば、制御部２０１は、成功率が所定値以上の番組位置に絞り込んだり、成功率が上位の所定数の番組位置に絞り込んだりする処理を実行してよい。
【００８８】
以上で述べたように、実施形態によれば、ＣＭの放送スケジュールの改案の検討を容易に実行することが可能になる。以下、上述の実施形態で述べたＣＭの放送スケジュールの改案支援についての動作フローの例を更に説明する。
【００８９】
図１４は、実施形態に係るＣＭの放送スケジュールの改案支援処理の動作フローを例示する図である。例えば、端末１２２から改案対象とする広告依頼の広告依頼識別子や期間の指定とともに改案支援処理の実行指示が入力されると、改案サーバ１２１の制御部２０１は、図１４の動作フローを開始してよい。
【００９０】
ステップ１４０１（以降、ステップを“Ｓ”と記載し、例えば、Ｓ１４０１と表記する）において改案サーバ１２１の制御部２０１は、指定された広告依頼識別子で識別される広告依頼と対応する指定された期間の番組表を生成する。例えば、制御部２０１は、指定された期間の番組の情報を番組情報３００から読み出し、図４で例示した番組表を生成してよい。
【００９１】
Ｓ１４０２において制御部２０１は、指定された広告依頼識別子で識別される広告依頼と対応する見積視聴率（第１の予測視聴率）を取得する。例えば、制御部２０１は、番組情報３００から広告依頼識別子に基づき見積視聴率を取得してもよいし、別の実施形態では、広告依頼情報５００から広告依頼識別子と対応する発注号数を特定し、見積視聴率を算出してもよい。
【００９２】
Ｓ１４０３において制御部２０１は、第２の予測視聴率を取得する。例えば、制御部２０１は、所定のアルゴリズムに従って番組表の各番組の視聴率を予測し、第２の予測視聴率を取得してよい。なお、第２の予測視聴率の予測精度は、見積視聴率よりも高い予測精度であってよい。一例では、制御部２０１は、放送日の天気予報や、番組の放送内容などの情報を用いて、見積視聴率よりも高い予測精度の第２の予測視聴率を取得してよい。
【００９３】
Ｓ１４０４において制御部２０１は、見積視聴率と、第２の予測視聴率とを比較して、見積視聴率と、第２の予測視聴率との差分を求める。
【００９４】
そして、Ｓ１４０５において制御部２０１は、差分に基づいて番組表の番組枠の表示形式を決定する。
【００９５】
例えば、制御部２０１は、番組表に含まれる複数の番組枠において、クライアントの広告キャンペーンと対応するＣＭを放送する放送枠に、放送枠を判別するための判別情報を表示させるように表示形式を決定してよい。図７は、この場合の番組表の表示形式を例示しており、放送枠には判別情報として線引きが表示されている。
【００９６】
また更に、制御部２０１はＳ１４０５の処理で、放送枠のうち、見積視聴率よりも第２の予測視聴率で視聴率が所定の低下条件を満たして低下している放送枠の判別情報を、他の放送枠の判別情報とは異なる表示形式で表示させるように表示形式を決定してよい。図７は、この場合の番組表の表示形式を例示しており、見積視聴率よりも第２の予測視聴率が低い放送枠の線引きが、他の放送枠と異なるように二重線で表示されている。
【００９７】
また、制御部２０１はＳ１４０５の処理で、例えば、番組表において見積視聴率よりも第２の予測視聴率で視聴率が所定の上昇条件を満たして上昇している番組枠を、他の番組枠とは異なる表示形式で表示させるように表示形式を決定してよい。
【００９８】
また、制御部２０１はＳ１４０５の処理で、例えば、見積視聴率よりも第２の予測視聴率で視聴率が所定の低下条件を満たして低下している放送枠の表示形式を、見積視聴率と第２の予測視聴率との間の視聴率の差の大きさに応じて異ならせるように決定してよい。
【００９９】
図８は、Ｓ１４０５の処理で以上のように番組表の表示形式が決定された場合に表示される表示画面８００を例示している。例えば、図８では、見積視聴率よりも第２の予測視聴率が０．５％以上高い番組枠は、第１の網掛けパターン８０１で表示するように表示形式が決定されている。また、図８では、放送枠のうちで、見積視聴率よりも第２の予測視聴率で視聴率が０．５％以上低下している放送枠は、視聴率の低下が０．５％未満の放送枠と異なり、第２の網掛けパターン８０２で表示するように表示形式が決定されている。
【０１００】
なお、制御部２０１は、見積視聴率よりも第２の予測視聴率で視聴率が上昇している番組枠を、見積視聴率と第２の予測視聴率との間の視聴率の差の大きさに応じて異ならせるように表示形式を決定してもよい。即ち、例えば、制御部２０１は、見積視聴率よりも第２の予測視聴率が１．０％以上高い番組枠は、更に別の網掛けパターンで表示するというように表示形式を決定してもよい。
【０１０１】
続いて、Ｓ１４０６において制御部２０１は、改案履歴に基づき削除枠を設定する。例えば、制御部２０１は、改案履歴情報１１００において削除枠として所定の条件を満たして高い頻度で指定される番組位置があり、かつ、その番組位置が番組表においてＣＭを放送する放送枠に設定されている場合、その放送枠を削除枠として指定してよい。なお、制御部２０１は、上述のように、削除枠として指定する代わりに、削除枠として指定することを勧めるリコメンド情報を表示させるように番組表に設定を行ってもよい。
【０１０２】
Ｓ１４０７において制御部２０１は、改案履歴に基づき追加候補枠を設定する。例えば、制御部２０１は、改案履歴情報１１００において追加候補枠として所定の条件を満たして高い頻度で指定される番組位置があり、かつ、その番組位置が番組表において放送枠に設定されていなければ、追加候補枠として指定してよい。なお、制御部２０１は、上述のように、追加候補枠として指定する代わりに、追加候補枠として指定することを勧めるリコメンド情報を表示させるように番組表に設定を行ってもよい。
【０１０３】
Ｓ１４０８において制御部２０１は、以上の処理で表示形式を設定した表示画面を表示するための表示情報を生成し、端末１２２に出力する。端末１２２は、表示情報を受信すると、受信した表示情報に基づいて表示装置１２３に図１３に例示する表示画面１３００などの表示画面を表示させてよい。
【０１０４】
続いて、Ｓ１４０９において制御部２０１は、削除枠や追加候補枠などを指定して改案指示を設定する。例えば、端末１２２の利用者は、表示画面１３００を見て改案を検討し、削除枠や追加候補枠を登録する登録指示を端末１２２から改案サーバ１２１に送信してよい。そして、改案サーバ１２１の制御部２０１は、登録指示に従って削除枠や追加候補枠などを指定する改案指示を番組表に設定してよい。
【０１０５】
Ｓ１４１０において制御部２０１は、端末１２２からの登録指示で指定された削除枠や追加候補枠の情報を反映させた表示情報を生成し、端末１２２に出力する。それにより、端末１２２の表示装置１２３には、図１５に示す表示画面１５００などの表示画面が表示されてよい。図１５では、利用者が指定した削除枠および追加候補枠の改案指示が追加で表示されている。なお、Ｓ１４０９およびＳ１４１０の処理は、利用者が改案指示を設定するたびに繰り返し実行されてもよい。
【０１０６】
続いて、Ｓ１４１１において制御部２０１は、例えば、端末１２２から改案指示の通知指示を受信すると、削除枠および追加候補枠の情報を含む改案指示を通知する。例えば、制御部２０１は、放送局１０１の作案担当者が利用する端末に、メールなどを用いて改案指示を送信してもよいし、別の実施形態では、営放システム１１１に改案指示を通知してもよい。
【０１０７】
Ｓ１４１２において制御部２０１は、改案指示の内容を改案履歴情報１１００に登録し、本動作フローは終了する。例えば、制御部２０１は、改案指示で指定された削除枠および追加候補枠の情報を、広告依頼をしたクライアントや、広告依頼のクライアントおよびそのターゲットと対応づけたレコードを改案履歴情報１１００に登録してよい。
【０１０８】
以上で述べた図１４の動作フローによれば、端末１２２の利用者は、例えば、図１５の表示画面１５００などの表示画面を参照することで、容易に改案指示を設定し、通知することができる。例えば、利用者は、見積視聴率を達成できる可能性の高い安全な番組枠や、見積視聴率を下回る可能性が高い番組枠を、番組枠の表示形式の違いから特定することができる。また、利用者は、追加候補枠や削除枠の提示を受けることもできる。
【０１０９】
また、現状では、ＣＭの放送スケジュールの確認や改案指示の作業は、紙に書き込む形式で行われることが一般的である。この場合、紙を紛失してしまったり、手書き指示の読み違いに起因してミスが発生したりしてしまうことがある。しかしながら、上述の実施形態ではＣＭの放送スケジュールの情報をデジタルに管理して、表示画面１５００などのように表示させることができるため、紙と同様の一覧性を確保しつつも、これらの発生を抑制することができる。また更には、実施形態によれば、スクリーンショットを撮影して利用したり、改案の履歴を確認したりすることも可能になる。また、実施形態によれば、１つの広告枠の削除に対して、代りに追加する複数の追加候補枠を指定することができ、改案の必要性の度合いを表す情報や、その他のコメントやスタンプなどの付加情報を容易に付すこともできる。従って、実施形態によればＣＭの放送スケジュールの変更作業が容易になる。
【０１１０】
なお、図１４の動作フローでは、Ｓ１４０９の処理で、端末１２２の利用者が削除枠および追加候補枠などを指定して改案指示を設定する例を述べたが、実施形態はこれに限定されるものではない。例えば、別の実施形態では、改案サーバ１２１の制御部２０１は、見積視聴率よりも第２の予測視聴率で視聴率が所定の第２の低下条件を満たして低下している放送枠を削除枠として指定するというように、差分の大きい番組枠は削除枠や追加候補枠として自動で指定して改案指示を設定してもよい。
【０１１１】
また、上述のＳ１４０５の処理では、差分に基づき番組枠の表示形式を決定しており、例えば、番組表において見積視聴率よりも第２の予測視聴率で視聴率が所定の上昇条件を満たして上昇している番組枠を、他の番組枠とは異なる表示形式で表示させるように表示形式を決定している。それにより、利用者はＣＭの放送スケジュールの改案を検討する際に、表示形式の違いから見積視聴率よりもアクチュアルの視聴率が高まる可能性の高い安全な番組枠を知ることができ、新たにＣＭを放送する候補となる追加候補枠を容易に選択することが可能になる。しかしながら、実施形態はこれに限定されるものではない。例えば、別の実施形態では、制御部２０１は、見積視聴率から視聴率が低下しない安全な番組枠の中から、更に、広告依頼の発注条件に基づいて追加候補枠として選択することが好ましい番組枠を抽出し、その表示形式を他の番組枠とは異なる表示形式で表示されるように決定してもよい。
【０１１２】
例えば、別の実施形態では、制御部２０１はＳ１４０５で、見積視聴率よりも第２の予測視聴率で視聴率が所定の上昇条件を満たして上昇している番組枠のうちから、更に、クライアントの広告キャンペーンの発注条件で指定されているゾーンに属している番組枠を特定してもよい。そして、制御部２０１は、その特定された番組枠の表示形式を、他の番組枠とは異なる表示形式で表示させるように決定してよい。或いは、制御部２０１は、見積視聴率から第２の予測視聴率で視聴率が低下しない安全な番組枠のうちから、発注条件のＡ単価、ＡＧシェア、含有比率、週別バランス、および段積みなどの条件の少なくとも１つを満たす番組枠を特定してよい。そして、制御部２０１は、その特定された番組枠の表示形式を、他の番組枠とは異なる表示形式で表示させるように決定してよい。また更に、制御部２０１は、タイムＣＭのみで販売される番組枠については選択できないことを示す情報を含むように、表示形式を決定してもよい。
【０１１３】
なお、以上の図１４の動作フローにおいて、Ｓ１４０５、Ｓ１４０８、およびＳ１４１０などの処理では改案サーバ１２１の制御部２０１は、例えば、出力部２１１として動作する。また、Ｓ１４０４の処理では改案サーバ１２１の制御部２０１は、例えば、比較部２１２として動作する。Ｓ１４１１の処理では改案サーバ１２１の制御部２０１は、例えば、通知部２１３として動作する。Ｓ１４１２の処理では改案サーバ１２１の制御部２０１は、例えば、保存部２１４として動作する。Ｓ１４０６、Ｓ１４０７、Ｓ１４０９の処理では改案サーバ１２１の制御部２０１は、例えば、指定部２１５として動作する。
【０１１４】
以上において、実施形態を例示したが、実施形態はこれに限定されるものではない。例えば、上述の動作フローは例示であり、実施形態はこれに限定されるものではない。可能な場合には、動作フローは、処理の順番を変更して実行されてもよく、別に更なる処理を含んでもよく、または、一部の処理が省略されてもよい。例えば、図１４のＳ１４０６とＳ１４０７の処理は順序を入れ替えて実行してもよい。
【０１１５】
また、上述の実施形態は、テレビのＣＭを例に説明しているが、実施形態はこれに限定されるものではない。例えば、実施形態は、インターネット経由でコンテンツが配信される同時配信などに適用されてもよい。また、例えば、ラジオＣＭなどのその他のコンテンツに対するＣＭに適用されてもよい。当業者であれば、必要に応じて上述の実施形態の説明を読み替えて様々なコンテンツに実施形態を適用することができる。例えば、ラジオＣＭに適用される場合、上述の実施形態の「視聴」は「聴取」に読み替えられてもよい。
【０１１６】
また、改案サーバ１２１の制御部２０１は、上述の図７、図８、図９、図１２、図１３、図１５などで例示される実施形態に係る番組表を含む様々な表示画面を、ＰＤＦなどの所定のファイル形式で出力する機能を備えていてよい。それにより得られた出力データは、例えば、放送局１０１やクライアント１０３などと、改案の検討状況を共有するために利用されてよい。
【０１１７】
また、上述の実施形態では、予測視聴率に基づいて、改案を支援する表示画面を提示する例を述べているが、実施形態はこれに限定されるものではない。例えば、別の実施形態では、制御部２０１は、予測視聴率以外の情報に基づいて改案を支援する表示画面を提示する処理を実行してもよい。一例として、制御部２０１は、番組枠と紐づけた番組の視聴者に関する属性情報や行動情報に基づいて改案を支援する表示画面を提示してもよい。なお、属性情報は、例えば、視聴者の性別、年齢などのデモグラフィックな情報や、カレー好き、サッカー好きなどの趣味嗜好に関する情報などを含んでよい。また、行動情報は、例えば、番組の視聴時間帯や、購買履歴といった商品の購買傾向を表す情報などの視聴者の行動に関する情報を含んでよい。更には、制御部２０１は、放送するＣＭに関する情報に基づいて、改案を支援する表示画面を提示してもよい。一例として、ＣＭの放送に対する消費者の反応率の情報を用いることができる。例えば、或る飲食店のＣＭは朝に放送した方が、夕方に放送した場合よりも売り上げの上昇率が高かったとする。この場合、朝にＣＭを放送した方が夕方よりも消費者のＣＭに対する反応率が高いことが分かる。そして、制御部２０１は、この様な、ＣＭの放送日や放送時間帯に対する消費者の反応率の情報を用いて、改案を支援する表示画面を提示してもよい。また、制御部２０１は、これらの情報と、予測視聴率の情報とを組み合わせて改案を支援する表示画面を提示してもよい。
【０１１８】
また、上述の実施形態において、発注の累積視聴率、見積視聴率、予測視聴率、アクチュアルの視聴率などを含む様々な視聴率は、例えば、ＧＲＰ、ＡＬＬ（Ｐ＋Ｃ７）、ＴＲＰなどの視聴率で表されてよい。また、視聴率は、例えば、ピープルメータや、その他の方法で測定されてよい。また、上述の実施形態において、放送は、テレビの地上波、衛星もしくは有線の放送、ラジオ放送、インターネットもしくは無線通信を介した放送を含んでよい。
【０１１９】
また更に、上述の実施形態では、見積もり時に用いた見積視聴率を、第１の予測視聴率として用いる例を述べているが、実施形態に係る第１の予測視聴率はこれに限定されるものではない。例えば、見積視聴率だけでなく一旦予測した予測視聴率があり、その予測視聴率よりも予測精度の高い第２の予測視聴率が入手できたとする。この場合に、その２つの予測視聴率を用いて改案を行う対象の番組枠を検討したり決定したりするために、上述の実施形態が用いられてもよい。
【０１２０】
また、上述の実施形態における改案サーバ１２１が実行する処理は、複数の装置を用いて実装されてもよい。
【０１２１】
図１６は、実施形態に係る改案サーバ１２１を実現するためのコンピュータなどの情報処理装置１６００のハードウェア構成を例示する図である。図１６のハードウェア構成は、例えば、プロセッサ１６０１、メモリ１６０２、記憶装置１６０３、読取装置１６０４、通信インタフェース１６０６、および入出力インタフェース１６０７を備える。なお、プロセッサ１６０１、メモリ１６０２、記憶装置１６０３、読取装置１６０４、通信インタフェース１６０６、入出力インタフェース１６０７は、例えば、バス１６０８を介して互いに接続されている。
【０１２２】
プロセッサ１６０１は、例えば、シングルプロセッサであっても、マルチプロセッサやマルチコアであってもよい。プロセッサ１６０１は、メモリ１６０２を利用して例えば上述の動作フローの手順を記述したプログラムを実行することにより、上述した制御部２０１の一部または全部の機能を提供する。例えば、プロセッサ１６０１は、記憶装置１６０３に格納されているプログラムを読み出して実行することで、出力部２１１、比較部２１２、通知部２１３、保存部２１４、および指定部２１５として動作する。
【０１２３】
メモリ１６０２は、例えば半導体メモリであり、ＲＡＭ領域およびＲＯＭ領域を含んでよい。記憶装置１６０３は、例えばハードディスク、フラッシュメモリ等の半導体メモリ、または外部記憶装置である。なお、ＲＡＭは、Random  Access  Memoryの略称である。また、ＲＯＭは、Read  Only  Memoryの略称である。
【０１２４】
読取装置１６０４は、プロセッサ１６０１の指示に従って着脱可能記憶媒体１６０５にアクセスする。着脱可能記憶媒体１６０５は、例えば、半導体デバイス（ＵＳＢメモリ等）、磁気的作用により情報が入出力される媒体（磁気ディスク等）、光学的作用により情報が入出力される媒体（ＣＤ−ＲＯＭ、ＤＶＤ、Blu-ray  Disc等（Blu-rayは登録商標））などにより実現される。なお、ＵＳＢは、Universal  Serial  Busの略称である。ＣＤは、Compact  Discの略称である。ＤＶＤは、Digital  Versatile  Diskの略称である。
【０１２５】
記憶部２０２は、例えばメモリ１６０２、記憶装置１６０３、および着脱可能記憶媒体１６０５を含んでよい。例えば、改案サーバ１２１の記憶装置１６０３には、番組情報３００、広告依頼情報５００、放送スケジュール情報６００、改案履歴情報１１００などの情報が格納されている。
【０１２６】
通信インタフェース１６０６は、プロセッサ１６０１の指示に従ってネットワークを介してデータを送受信する。通信インタフェース１６０６は、上述の通信部２０３の一例である。例えば、通信インタフェース１６０６は、プロセッサ１６０１の指示に従って営放システム１１１や端末１２２と通信してよい。
【０１２７】
入出力インタフェース１６０７は、例えば、入力装置および出力装置との間のインタフェースであってよい。入力装置は、例えばユーザからの指示を受け付けるキーボードやマウスなどのデバイスである。出力装置は、例えばディスプレーなどの表示装置、およびスピーカなどの音声装置である。
【０１２８】
実施形態に係る各プログラムは、例えば、下記の形態で改案サーバ１２１に提供される。
（１）記憶装置１６０３に予めインストールされている。
（２）着脱可能記憶媒体１６０５により提供される。
（３）プログラムサーバなどのサーバから提供される。
【０１２９】
なお、図１６を参照して述べた改案サーバ１２１を実現するための情報処理装置１６００のハードウェア構成は、例示であり、実施形態はこれに限定されるものではない。例えば、上述の構成の一部が、削除されてもよく、また、新たな構成が追加されてもよい。また、別の実施形態では、例えば、上述の制御部２０１の一部または全部の機能がＦＰＧＡおよびＳｏＣなどによるハードウェアとして実装されてもよい。なお、ＦＰＧＡは、Field  Programmable  Gate  Arrayの略称である。ＳｏＣは、System-on-a-chipの略称である。
【０１３０】
以上において、いくつかの実施形態が説明される。しかしながら、実施形態は上記の実施形態に限定されるものではなく、上述の実施形態の各種変形形態および代替形態を包含するものとして理解されるべきである。例えば、各種実施形態は、その趣旨および範囲を逸脱しない範囲で構成要素を変形して具体化できることが理解されよう。また、前述した実施形態に開示されている複数の構成要素を適宜組み合わせることにより、種々の実施形態が実施され得ることが理解されよう。更には、実施形態に示される全構成要素からいくつかの構成要素を削除して、または実施形態に示される構成要素にいくつかの構成要素を追加して種々の実施形態が実施され得ることが当業者には理解されよう。
【符号の説明】
【０１３１】
１００  ：作案システム
１０１  ：放送局
１０２  ：広告代理店
１０３  ：クライアント
１１１  ：営放システム
１２１  ：改案サーバ
１２２  ：端末
１２３  ：表示装置
２０１  ：制御部
２０２  ：記憶部
２０３  ：通信部
２１１  ：出力部
２１２  ：比較部
２１３  ：通知部
２１４  ：保存部
２１５  ：指定部
３００  ：番組情報
５００  ：広告依頼情報
６００  ：放送スケジュール情報
７００，８００，９００，１２００，１３００，１５００  ：表示画面
７０１，７０２  ：表示欄
８０１  ：第１の網掛けパターン
８０２  ：第２の網掛けパターン
９０１  ：削除枠
９０２  ：追加候補枠
１１００  ：改案履歴情報
１３０１，１３０２  ：番組枠
１６００  ：情報処理装置
１６０１  ：プロセッサ
１６０２  ：メモリ
１６０３  ：記憶装置
１６０４  ：読取装置
１６０５  ：着脱可能記憶媒体
１６０６  ：通信インタフェース
１６０７  ：入出力インタフェース
１６０８  ：バス
【要約】
【課題】ＣＭの放送スケジュールの変更作業を容易にする。
【解決手段】一実施形態に係る情報処理装置は、番組表に含まれる複数の番組枠のうちで、クライアントの広告キャンペーンと対応するコマーシャルを放送する放送枠を判別するための判別情報を番組表において放送枠と対応づけて表示させる表示情報を出力する出力部と、番組表に含まれる前記複数の番組枠の各番組枠に対して第１の予測アルゴリズムにより予測された第１の予測視聴率と、第１の予測アルゴリズムよりも予測精度の高い第２の予測アルゴリズムにより予測された第２の予測視聴率とを比較する比較部と、を含み、出力部は、第１の予測視聴率よりも第２の予測視聴率で視聴率が所定の上昇条件を満たして上昇している第１の番組枠を、番組表において他の番組枠とは異なる表示形式で表示させるように表示情報を出力する。
【選択図】図１４【図１】
0006799224.tif 000002
【図２】
0006799224.tif 000003
【図３】
0006799224.tif 000004
【図４】
0006799224.tif 000005
【図５】
0006799224.tif 000006
【図６】
0006799224.tif 000007
【図７】
0006799224.tif 000008
【図８】
0006799224.tif 000009
【図９】
0006799224.tif 000010
【図１０】
0006799224.tif 000011
【図１１】
0006799224.tif 000012
【図１２】
0006799224.tif 000013
【図１３】
0006799224.tif 000014
【図１４】
0006799224.tif 000015
【図１５】
0006799224.tif 000016
【図１６】
0006799224.tif 000017